(57)【特許請求の範囲】
【請求項１】
昇降路にガイドレールを立設し、このガイドレールに沿ってそれぞれ案内される乗りかごとつり合いおもりを主索にて連結し、上記昇降路の上部に形成したエレベータ機械室内に、上記主索を介して駆動して上記乗りかごを上下動する巻上機と、この巻上機を制御する制御装置とを配置して成り、既設の上記巻上機および上記制御装置を新設巻上機および新設制御装置に交換するエレベータ装置において、
少なくとも上記既設巻上機と上記既設制御装置を撤去し、上記新設巻上機と上記新設制御装置とを上記昇降路内に設け、上記昇降路の上部を、上記エレベータ機械室内に空きスペースを形成するため扉を有するカバーで覆ったことを特徴とするエレベータ装置。
【請求項２】
上記主索を案内するガイド用綱車および上記主索の両方の端部を支持するエンドブラケットが機械室の床面より上方に位置した状態で上記既設巻上機を支持していた既設受け台に支持され、上記カバーは、ガイド用綱車およびエンドブラケットを覆うように配置されていることを特徴とする請求項１記載のエレベータ装置。
【発明の詳細な説明】
【０００１】
【発明の属する技術分野】
本発明は、エレベータの装置に関する。
【０００２】
【従来の技術】
従来の主索と綱車によって駆動するエレベータの一般的な装置を図７に示した断面図を用いて説明する。
【０００３】
昇降路１の側壁には、乗かご２を案内するガイドレール３と、つり合いおもり５を案内するガイドレール６とがブラケット４，７によってそれぞれ固定され、昇降路１の底部から頂部付近まで延設されている。昇降路１の上部に形成されたエレベータ機械室３２には、綱車３４、反らせ車３５および電動機３６から構成された巻上機３３が機械台１８上に設置され、また、乗りかご２の速度制御や操作制御を電気的に行なう制御装置３７や、乗りかご２の異常増速を検出して乗りかご２に設けられた図示しない非常止め装置を動作させるための調速機等が配置されている。乗りかご２とつり合いおもり５には、それぞれその上部に図示しない吊板が設けられ、巻上機３３の綱車３４および反らせ車３５を介して主索１０の両端部が吊板にそれぞれ固定されている。従って、巻上機３３の駆動により主索１０を介して乗りかご２が昇降するように構成されている。
【０００４】
このようなエレベータにおいては、消費電力を下げたり待ち時間を短縮することを目的として制御装置等を最新のものに更新する改修作業が行なわれ、この作業を短期間で行なう装置として、乗りかご２、つり合いおもり５およびガイドレール３，６等は既設品を活用し、エレベータ機械室３２に設置した制御装置３７および巻上機３３を最新型に取り替えることが行なわれている。
【０００５】
また近年、マンション等の共同住宅においては、階段等の共用部を建物の容積率の算出対象に組み入れないようになり、またエレベータにおいては巻上機を昇降路内に設置してもよいなどの規制緩和策がとられていることから、巻上機を昇降路内に設置してエレベータ機械室を省略したエレベータが標準型として採用されるようになってきた。
【０００６】
【発明が解決しようとする課題】
しかしながら、従来のエレベータ機械室を有する既設エレベータを改修する場合、既に既設エレベータ機械室が存在しているため、この既設エレベータ機械室を有効に活用することが行なわれていなかった。
【０００７】
本発明の目的は、既設エレベータ機械室の空間を有効に活用できるようにしたエレベータの装置を提供することにある。
【０００８】
【課題を解決するための手段】
本発明は上記目的を達成するために、昇降路にガイドレールを立設し、このガイドレールに沿ってそれぞれ案内される乗りかごとつり合いおもりを主索にて連結し、上記昇降路の上部に形成したエレベータ機械室内に、上記主索を介して駆動して上記乗りかごを上下動する巻上機と、この巻上機を制御する制御装置とを配置して成り、既設の上記巻上機および上記制御装置を新設巻上機および新設制御装置に交換するエレベータ装置において、少なくとも上記既設巻上機と上記既設制御装置を撤去し、上記新設巻上機と上記新設制御装置とを上記昇降路内に設け、上記昇降路の上部を、上記エレベータ機械室内に空きスペースを形成するため扉を有するカバーで覆ったことを特徴とする。
【０００９】
本発明によるエレベータの装置は、既設エレベータにおける、少なくとも既設エレベータ機械室に配置していた既設巻上機と既設制御装置を撤去し、新設巻上機と新設制御装置を昇降路内に配置し、この昇降路の上部をカバーで覆ったため、既設エレベータ機械室内に空きスペースを形成することができ、この空きスペースを他の用途に活用して建屋内の有効床面積を拡大し、建屋の資産価値を向上させることができる。
【００１０】
【発明の実施の形態】
以下、本発明の実施の形態を図面に基づいて説明する。
【００１１】
既設のエレベータは図８に示すように構成され、その改修に当たって昇降路１内の乗りかご２と、つり合いおもり５と、ブラケット４，７で固定したガイドレール３，６と、既設エレベータ機械室３２内の機械台１８などはそれぞれ既設品を流用し、既設エレベータ機械室３２内の既設巻上機３３および既設制御装置３７などは撤去する。
【００１２】
図１は、本発明の一実施の形態によるエレベータの装置を採用した改修後のエレベータを示す断面図で、図２は図１に示したエレベータの機械室を示す平面図であり、図３は図１に示したエレベータの昇降路底部を示す平面図である。
【００１３】
乗りかご２およびつり合いおもり５の上部の図示しない吊部を改造して綱車８，９をそれぞれ取り付ける。既設エレベータ機械室３２ａでは、図２に示すように一対の既設機械台１８の上部にこれらを橋絡するように受け台１７ａ，１７ｂ，１７ｃ，１７ｄを配置してボルト締結または溶接によりそれぞれ固定する。このとき受け台１７ｂ，１７ｃ，１７ｄは既設機械台１８に直交し互いにほぼ並行に配置するが、受け台１７ａは斜めに配置している。この斜めに配置した受け台１７ａと受け台１７ｂの近接する側の左端間にガイド用綱車１３を配置し、受け台１７ａと受け台１７ｂの反対端側間に主索端部固定用のエンドブラケット１５を配置し、受け台１７ｃ，１７ｄの左端間にガイド用綱車１４を配置し、受け台１７ｃと受け台１７ｄの反対端側間に主索端部固定用のエンドブラケット１６を配置して固定している。
【００１４】
一方、図３に示した昇降路最下部では、乗りかご側ガイドレール３とつり合いおもり側ガイドレール６間にそれぞれ取付金具１２ａを固定し、この一対の取付金具１２ａを橋絡するようにその上部に受け台１２ｂを設置して固定している。
【００１５】
この受け台１２ｂの上部には、最新式機械室レスタイプの標準型エレベータに採用されている新設巻上機１１を固定しており、綱車１１ａを有するこの新設巻上機１１は、既設乗りかご側緩衝器２３および既設つり合いおもり側緩衝器２４に干渉しないように配置し、後述する主索１０を介して新設巻上機１１に掛かる上方向への荷重をガイドレール３，６にて受けるようにしている。
【００１６】
このとき、図２に示した平面図から分かるように、乗りかご２の上部に設けた綱車８はエンドブラケット１５とガイド用綱車１３間でそれらの下方に位置し、新設巻上機１１の綱車１１ａはガイド用綱車１３とガイド用綱車１４間でそれらの下部に位置し、つり合いおもり５の上部に設けた綱車９はガイド用綱車１４とエンドブラケット１６間でそれらの下部に位置するように、各機器をそれぞれ所定の位置に配置している。
【００１７】
その後、主索１０の一端１０ａを図１に示すようにエンドブラケット１５に固定し、乗りかご２の上部に設けた綱車８、既設エレベータ機械室３２ａに設けたガイド用綱車１３、新設巻上機１１の綱車１１ａ、既設エレベータ機械室３２ａに設けたガイド用綱車１４、つり合いおもり５の上部に設けた綱車９を介して主索１０の他端１０ｂを既設エレベータ機械室３２ａに設けたエンドブラケット１６にそれぞれ固定している。
【００１８】
既設制御装置に替えて設ける新設制御装置２０は、昇降路１内の乗りかご側ガイドレール３、またはつり合いおもり側ガイドレール６に固定したブラケット１９を用いて取り付けている。また既設エレベータ機械室３２ａでは、ガイド用綱車１３，１４、エンドブラケット１５，１６および受け台１７等を覆うカバー２１を設け、この遮蔽カバー２１には保守点検用の扉２２を設けている。
【００１９】
このようにエレベータの改修作業に当たって、新設巻上機１１および新設制御装置２０は改修時に昇降路１内に配置するようにし、昇降路１の上部をカバー２１で覆ったため、このカバー２１内には高さの大きな新設制御装置２０がないので高さを抑えることができ、既設エレベータ機械室内に空きスペース３２ｂを形成することができるので、これを任意の用途に利用して建屋内の有効床面積を拡大し、建屋の資産価値を向上させることができる。
【００２０】
図４は、本発明の他の実施の形態によるエレベータの装置を採用した改修後の機械室付近を示す断面図である。
【００２１】
先の実施の形態では、既設エレベータ機械室の床部に配置していた既設機械台１８を流用してその上に受け台１７ａ，１７ｂ，１７ｃ，１７ｄを配置し、これらの上にガイド用綱車１３，１４やエンドブラケット１５，１６を支持したが、この実施の形態では既設機械台１８も撤去するようにしている。この既設機械台１８に替えてガイドレール３，６の上端部付近にそれらを橋絡する受け台２６を固定し、この受け台２６の上にガイド用綱車１３，１４やエンドブラケット１５，１６を支持している。このときのガイド用綱車１３，１４およびエンドブラケット１５，１６の位置関係は、乗りかご２の上部に設けた綱車８、新設巻上機１１の綱車１１ａ、つり合いおもり５の上部に設けた綱車９との上下関係を考慮しながら先の実施の形態の場合と同様に所定の位置に決定する。
【００２２】
このようにガイド用綱車１３，１４およびエンドブラケット１５，１６をガイドレール３，６に支持するようにしたため、受け台２６は図１に示した受け台１７ａ，１７ｂ，１７ｃ，１７ｄの位置よりも下方に位置することになり、同部の上方を覆うカバー２１を図１のカバー２１よりもさらに低く抑えることができ、既設エレベータ機械室の空きスペース３２ｂを図１に示したものよりも広くすることができる。
【００２３】
図５は、本発明の他の実施の形態によるエレベータの装置を採用した改修後の機械室付近を示す断面図である。
【００２４】
昇降路１の上部に確保された十分な空間を活用したもので、ガイド用綱車１３，１４およびエンドブラケット２７，２８を昇降路１の上部壁に取り付けて支持したものである。昇降路１の上部には既設エレベータ機械室の孔の空いた床が残されるが、この孔を鉄板等のカバー２１で塞ぐようにしている。このように昇降路１内にガイド用綱車１３，１４およびエンドブラケット２７，２８を配置すると、図８に示した既設エレベータにおいて使用していた既設エレベータ機械室３２は全て空きスペースとなり、他の用途のために有効活用することができる。
【００２５】
図６は、本発明の他の実施の形態によるエレベータの装置を採用した改修後の機械室を示す平面図である。
【００２６】
先の実施の形態におけるエレベータは、１：１ローピングで構成された既設エレベータに対し改修作業を行なったが、ここでは２：１ローピングで構成された既設エレベータに対して改修作業を行なう場合を示している。このような既設エレベータにおいては、主索端部固定用のエンドブラケット３０，３１と、乗りかごの上部に設けた綱車８と、つり合いおもりの上部に設けた綱車９も既設品を流用することができる。既設機械台１８はほぼ平行に配置した三本の強度部材から成り、その内の二本の既設機械台１８上に受け台２９ａ，２９ｂ，２９ｃ，２９ｄを固定し、これら受け台２９ａ，２９ｂ，２９ｃ，２９ｄ上にガイド用綱車１３，１４を支持固定する。
【００２７】
このような装置によれば、主索端部固定用のエンドブラケット３０，３１と、乗りかごの上部に設けた綱車８と、つり合いおもりの上部に設けた綱車９も既設品を活用することができるため、図１〜図５に示した実施の形態より軽微な改造で改修作業を実施することができる。
【００２８】
図７は、本発明のその他の実施の形態によるエレベータの装置を採用した改修後のエレベータを示す断面図である。
【００２９】
先の実施の形態におけるエレベータの装置は、機械室機器を撤去し、昇降路内の機器は既設品を活用するものとしたが、ここでは機械室機器および昇降路内機器の全て、すなわち既設エレベータの構成部品を全て撤去し、既設昇降路に新エレベータを据付けた場合を示している。なお、図７において図１と同一部位には同一符号を付してある。
【００３０】
既設のエレベータは図８に示すように構成され、その改修にあって昇降路１内の乗りかご２と、つり合いおもり５と、ブラケット４，７で固定したガイドレール３，６と、既設エレベータ機械室３２内の機械台１８と、既設巻上機３３および既設制御装置３７などの既設エレベータ構成部品は全て撤去する。
【００３１】
本実施形態における改修後のエレベータは、図７に示すように、新設巻上機１１をピット内の新設マシンベース１１ａ上に設けて主索１０を巻き掛け、新設乗りかご２を２：１ローピングで駆動する駆動方式を採っている。これにより、昇降路１頂部には２つのプーリ１３，１４、ロープエンド１０ａ，１０ｂが必要となるので、これらの荷重を分散するため、新設ブラケット４ａで固定される乗りかご側新設ガイドレール３ａ，新設ブラケット７ａで固定されるつり合いおもり側ガイドレール６ａの４本を支柱とし、その上下を支持梁１７およびピットベース４０で連結して躯体を形成し、建屋への荷重を軽減する。また、昇降路１内に、縦長の新設制御盤２０を昇降路１内の乗りかご側ガイドレール３ａ，またはつり合いおもり側ガイドレール６ａに固定したブラケット１９を用いて取り付け、昇降路１内部だけでエレベータシステムを構成している。
【００３２】
そして、昇降路１上部には既設エレベータ機械室３２の孔の空いた床が残されるが、この孔を鉄板等のカバー２１で塞ぐようにしている。このように昇降路１内にエレベータの構成部品を全て配置することにより、図８に示した既設エレベータにおいて使用した既設エレベータ機械室３２は全て空きスペースとなり、他の用途のために有効活用することができる。
【００３３】
なお、本実施形態では、新設巻上機１１を昇降路１の下部に配置するものとしたが、薄型モータなどを採用し、新設巻上機１１を昇降路１の頂部に配置してもよい。
【００３４】
また、本実施形態では、既設エレベータがロープ式エレベータである場合について説明したが、本実施形態で示した改修後のエレベータを採用すれば、既設エレベータが油圧式エレベータである場合でも、既設エレベータ機械室は全て空きスペースとなり、同様の効果が得られる。
【００３５】
【発明の効果】
以上説明したように本発明によるエレベータの装置によれば、少なくとも既設エレベータにおける既設エレベータ機械室に配置していた既設巻上機と既設制御装置を撤去し、新設巻上機と新設制御装置の昇降路内に配置し、この昇降路の上部をカバーで覆ったため、既設エレベータ機械室内に空きスペースを形成することができ、この空きスペースを他の用途に活用して建屋内の有効床面積を拡大し、建屋の資産価値を向上させることができる。
【図面の簡単な説明】
【図１】  本発明の一実施の形態によるエレベータの装置を採用した改修後のエレベータを示す断面図である。
【図２】  図１に示したエレベータの機械室を示す平面図である。
【図３】  図１に示したエレベータの昇降路下部を示す平面図である。
【図４】  本発明の他の実施の形態によるエレベータの装置を採用した改修後の機械室近傍を示す断面図である。
【図５】  本発明のさらに他の実施の形態によるエレベータの装置を採用した改修後の機械室近傍を示す断面図である。
【図６】  本発明のさらに他の実施の形態によるエレベータの装置を採用した改修後の機械室を示す平面図である。
【図７】  本発明のその他の実施の形態によるエレベータの装置を採用した改修後の機械室を示す平面図である。
【図８】  従来のエレベータを示す断面図である。
【符号の説明】
１  昇降路
２  乗りかご
３  ガイドレール
５  つり合いおもり
６  ガイドレール
８，９  綱車
１０  主索
１１  巻上機
１２ｂ  受け台
１３，１４  ガイド用綱車
１５，１６  エンドブラケット
１７ａ〜１７ｄ  受け台
１８  既設機械台
２０  制御装置
２１  カバー
２２  扉
２６  受け台
【図１】
0003797873.tif 000002
【図２】
0003797873.tif 000003
【図３】
0003797873.tif 000004
【図４】
0003797873.tif 000005
【図５】
0003797873.tif 000006
【図６】
0003797873.tif 000007
【図７】
0003797873.tif 000008
【図８】
0003797873.tif 000009